(57)【要約】  対象を監視し、携帯デバイス１００の干渉源を検出する携帯デバイス１００が提供される。携帯デバイス１００は、携帯デバイス１００の環境における干渉の存在を検出するよう構成された検出器１０２を備える。携帯デバイス１００はまた、携帯デバイス１００の環境における干渉の強度を決定し、決定された干渉強度に依存する周波数で出力を提供するようにユーザインターフェース１０６を制御するよう構成されたプロセッサ１０４を備える。
2020521401.tif 000002
【特許請求の範囲】
【請求項１】
対象を監視し、携帯デバイスの干渉源を検出する携帯デバイスであって、
前記携帯デバイスの環境における干渉の存在を検出する検出器と、
プロセッサとを有し、前記プロセッサが、
前記携帯デバイスの環境における干渉の強さを決定し、及び
ユーザインターフェースを制御し、前記決定された干渉強度に依存する周波数で出力を提供する、携帯デバイス。
【請求項２】
前記出力が、前記携帯デバイスの干渉源に対する前記携帯デバイスの近接度及び前記携帯デバイスの干渉源からの干渉のパワーのいずれか１つ又は複数を示す、請求項１に記載の携帯デバイス。
【請求項３】
前記携帯デバイスが、トランスデューサである、請求項１又は２に記載の携帯デバイス。
【請求項４】
前記プロセッサが、
前記決定された干渉強度に依存する周波数で視覚的な出力を提供する前記ユーザインターフェースのライトであって、前記周波数が、前記視覚出力が提供されるレートである、ライト、
前記決定された干渉強度に依存する周波数で音出力を提供する前記ユーザインターフェースのスピーカーであって、前記周波数が、前記音出力が提供されるレート及び前記音出力のピッチに対応する周波数のいずれか１つ又は複数である、スピーカー、及び
前記決定された干渉強度に依存する周波数で触知出力を提供する前記ユーザインターフェースの触知コンポーネントであって、前記周波数が、前記触知出力が提供されるレートである、触知コンポーネントのいずれか１つ又は複数を制御する、請求項１乃至３のいずれか一項に記載の携帯デバイス。
【請求項５】
前記干渉強度が増加すると決定されるとき前記周波数は増加し、前記干渉強度が減少すると決定されるとき前記周波数は減少し、又は、前記干渉強度が増加すると決定されるとき前記周波数が減少し、前記干渉強度が減少すると決定されるとき前記周波数が増加する、請求項１乃至４のいずれか一項に記載の携帯デバイス。
【請求項６】
前記携帯デバイスが、前記携帯デバイスを干渉検出モードに切り替えるユーザ入力を受信し、前記検出器をトリガーし、前記携帯デバイスの環境における干渉の存在の検出を開始するよう動作可能である、請求項１乃至５のいずれか一項に記載の携帯デバイス。
【請求項７】
前記プロセッサが、前記携帯デバイスが前記干渉検出モードにあるとき前記携帯デバイスが前記対象を監視するのを防ぐ、請求項６に記載の携帯デバイス。
【請求項８】
前記携帯デバイスが、前記決定された干渉強度に関係なく作動し続ける、請求項１乃至６のいずれか一項に記載の携帯デバイス。
【請求項９】
前記検出器が、前記携帯デバイスと少なくとも１つの他のデバイスとの間の無線データリンク上の干渉の存在を検出する、請求項１乃至８のいずれか一項に記載の携帯デバイス。
【請求項１０】
前記干渉が電磁干渉を含む、請求項１乃至９のいずれか一項に記載の携帯デバイス。
【請求項１１】
前記携帯デバイスが胎児又は母体の監視デバイスである、請求項１乃至１０のいずれか一項に記載の携帯デバイス。
【請求項１２】
システムであって、
請求項１乃至１１のいずれか一項に記載の携帯デバイスと、
前記携帯デバイスと通信するよう動作可能なベースユニットとを有する、システム。
【請求項１３】
前記ベースユニットが、前記携帯デバイスを含み、前記携帯デバイスは、前記ベースユニットから取り外し可能である、請求項１２に記載のシステム。
【請求項１４】
対象を監視して携帯デバイスの干渉源を検出する携帯デバイスの作動方法において、
前記携帯デバイスの環境における干渉の存在を検出するステップと、
前記携帯デバイスの環境における干渉の強さを決定するステップと、
ユーザインターフェースを制御し、前記決定された干渉強度に依存する周波数で出力を提供するステップとを有する、方法。
【請求項１５】
適切なコンピュータ又はプロセッサにより実行されると、前記コンピュータ又はプロセッサが請求項１４に記載の方法を実行するよう構成されたコンピュータ可読コードを含むコンピュータプログラム。
【発明の詳細な説明】
【技術分野】
【０００１】
本発明は、デバイスの分野に関し、特に、対象を監視する携帯デバイスに関する。
【背景技術】
【０００２】
無線周波数（ＲＦ）を使用するシステムなどの無線データ伝送システムは、胎児の監視などの臨床ルーチンでますます広く普及しつつある。なぜなら、それらは、ケーブルによる制限下で移動の自由度が制約されることと対照的に、ユーザが自由に動くことを可能にする利点を提供するからである。
【発明の概要】
【発明が解決しようとする課題】
【０００３】
ＲＦ通信システム（監視デバイスなど）は通常、干渉ソースの存在下で動作し、斯かるソースから発生する干渉は、これらのデバイスが正常に機能する能力を低下又は完全に妨げる場合がある。場合によっては、同じ部屋における他のＲＦ機器などの明らかな干渉源が簡単に特定されることができる。しかしながら、例えば故障した電子デバイス、故障した蛍光灯、ヘアドライヤーのモーター、エアポンプの故障したベッドなど、位置を特定するのが簡単ではない干渉又は妨害の潜在的なソースがある。
【０００４】
前述のように、産科医療無線（ＯＢＲ）などの臨床環境で使用される多くの監視デバイスは、干渉源により簡単に影響を受ける場合がある。ＯＢＲに関する独自プロトコルは、データ損失がある場合にデータが複数回送信されることができるワイヤレスローカルエリアネットワーク（ＷＬＡＮ）及びＢｌｕｅｔｏｏｔｈなどのデジタルデータ送信プロトコルとは対照的に、リアルタイムプロトコルである。ＯＢＲに使用されるプロトコルなどのリアルタイムプロトコルの場合、音声データはゼロ又は最小限の時間遅延で送信されなければならない。従って、データパッケージの繰り返し送信は不可能である。現在、干渉源の検出用に市場で入手可能なＲＦ測定デバイスがあるが、これらの測定デバイスは高価で、訓練されていない人が使用するのは困難である。
【０００５】
ＲＦ測定デバイスの一例は、干渉が放射される方向を決定する指向性アンテナを伴うＲＦスペクトル分析器を含み得る。この場合、トレーニングを受けていないユーザは、スペクトル分析器及び／又は指向性アンテナからの測定値を簡単に把握して、干渉源を効果的に特定することができない場合がある。更に、指向性アンテナ（又は他のタイプの測定デバイスの同等又は類似のコンポーネント）は、測定を行う前に適切なセットアップを必要とする場合がある。測定デバイス（例えば、指向性アンテナ）をセットアップする、測定デバイスを操作するためユーザをトレーニングする、及び／又は干渉源の方向及び／又は強度を示す意味のある結果を測定デバイスが提供するためには時間がかかる場合がある。
【０００６】
ＵＳ８，４７１，７１３号は、生理学的パラメータを決定するモニタを開示し、これは、センサに近接する周囲電子干渉の量を決定するよう構成されたプロセッサを含む。干渉検出モードにあるとき、プロセッサは継続的に干渉の量を決定し、これは、介護者が位置を変更することを可能にし、彼らが移動するとき干渉を監視することを可能にする。干渉レベルの重大度を話すことにより、干渉レベルの音声インジケーションが提供され、干渉レベルのチャート及びグラフを表示することにより、干渉レベルの視覚表示が提供される。しかしながら、干渉レベルが提供される態様は依然として非常に複雑であり、トレーニングを受けていないユーザにとっては混乱を招く可能性がある。
【０００７】
従って、干渉源を検出するための改善された方法及びデバイスが必要である。
【課題を解決するための手段】
【０００８】
上記のように、既存のアプローチの制限は、干渉を測定するデバイスが高価であり、訓練されていないユーザが適切に使用することも難しいことである。従って、既存の問題を克服する、干渉源を検出する改善された方法及びデバイスを持つことは価値があるだろう。
【０００９】
従って、本発明の第１の態様によれば、対象を監視し、携帯デバイスの干渉源を検出する携帯デバイスが提供される。携帯デバイスは、携帯デバイスの環境における干渉の存在を検出するよう構成された検出器を含む。携帯デバイスはまた、携帯デバイスの環境における干渉の強度を決定し、決定された干渉強度に依存する周波数で出力を提供するためにユーザインターフェースを制御するよう構成されたプロセッサを含む。
【００１０】
いくつかの実施形態では、出力は、携帯デバイスの干渉源への携帯デバイスの近接度、及び携帯デバイスの干渉源からの干渉のパワーのいずれか１つ又は複数を示し得る。
【００１１】
いくつかの実施形態では、プロセッサは、上記決定された干渉強度に依存する周波数で視覚的な出力を提供する上記ユーザインターフェースのライトであって、上記周波数が、上記視覚出力が提供されるレートである、ライト、上記決定された干渉強度に依存する周波数で音出力を提供する上記ユーザインターフェースのスピーカーであって、上記周波数が、上記音出力が提供されるレート及び上記音出力のピッチに対応する周波数のいずれか１つ又は複数である、スピーカー、及び上記決定された干渉強度に依存する周波数で触知出力を提供する上記ユーザインターフェースの触知コンポーネントであって、上記周波数が、上記触知出力が提供されるレートである、触知コンポーネントのいずれか１つ又は複数を制御するよう構成されることができる。
【００１２】
いくつかの実施形態では、干渉強度が増加すると決定されるとき周波数が増加し、干渉強度が減少すると決定されるとき周波数が減少する場合がある。他の実施形態では、干渉強度が増加すると決定されるとき周波数が減少し、干渉強度が減少すると決定されるとき周波数が増加する場合がある。
【００１３】
いくつかの実施形態では、携帯デバイスは、ユーザ入力を受信し、携帯デバイスを干渉検出モードに切り替え、検出器をトリガーし、携帯デバイスの環境における干渉の存在の検出を開始するように動作可能であってもよい。いくつかの実施形態では、プロセッサは、携帯デバイスが干渉検出モードにあるとき携帯デバイスが対象を監視することを防ぐよう構成されてもよい。いくつかの実施形態では、携帯デバイスは、決定された干渉強度に関係なく作動し続けるよう構成され得る。
【００１４】
いくつかの実施形態では、検出器は、携帯デバイスと少なくとも１つの他のデバイスとの間の無線データリンク上の干渉の存在を検出するよう構成されてもよい。いくつかの実施形態では、干渉は電磁干渉を含み得る。いくつかの実施形態では、携帯デバイスはトランスデューサであってもよい。いくつかの実施形態では、携帯デバイスは胎児又は母体の監視デバイスであってもよい。
【００１５】
本発明の第２の態様によれば、上述の携帯デバイスと、携帯デバイスと通信するように動作可能なベースユニットとを備えるシステムが提供される。
【００１６】
いくつかの実施形態では、ベースユニットは携帯デバイスを備えてもよく、携帯デバイスはベースユニットから取り外し可能であってもよい。
【００１７】
本発明の第３の態様によれば、対象を監視し、携帯デバイスの干渉源を検出する携帯デバイスの作動方法が提供される。この方法は、上記携帯デバイスの環境における干渉の存在を検出するステップと、上記携帯デバイスの環境における干渉の強さを決定するステップと、ユーザインターフェースを制御し、上記決定された干渉強度に依存する周波数で出力を提供するステップとを有する。
【００１８】
本発明の第４の態様によれば、コンピュータ可読媒体を含むコンピュータプログラム製品が提供され、コンピュータ可読媒体は、その中に組み込まれたコンピュータ可読コードを有し、コンピュータ可読コードは、適切なコンピュータ又はプロセッサにより実行されると、コンピュータ又はプロセッサに上記の方法を実行させるよう構成される。
【００１９】
上述の態様及び実施形態によれば、既存の技術の制限が対処される。特に、上記の態様及び実施形態によれば、ユーザインターフェースを制御し、携帯デバイスの環境における干渉強度に依存する周波数で出力をレンダリングすることにより、対象を監視し、携帯デバイスの干渉源を検出する携帯デバイスが提供される。こうして、携帯デバイス自体を使用して携帯デバイスの環境に干渉が存在するかどうかが確認されることができ、これにより追加の測定機器の必要性が排除され、シンプルでありながら効果的な方法で携帯デバイス使用して、干渉の強さに関する情報を提供することも可能である。携帯デバイスのユーザは、干渉を防ぐための適切な対策を講じるため、彼らが干渉源を簡単かつ迅速に特定することを可能にする情報を提供される。
【００２０】
従って、既存の問題を克服する、干渉源を検出する改良された方法及びデバイスが提供される。
【図面の簡単な説明】
【００２１】
【図１】一実施形態による、対象を監視し、携帯デバイスの干渉源を検出する携帯デバイスのブロック図である。
【図２】例示的な実施形態による、対象を監視し、携帯デバイスの干渉源を検出する携帯デバイスを示す図である。
【図３】一実施形態による干渉源を検出するために使用中の携帯デバイスを示す図である。
【図４】一実施形態による、携帯デバイスの干渉源を検出するため対象を監視する携帯デバイスを作動させる方法を示す図である。
【発明を実施するための形態】
【００２２】
本発明のより良い理解のため、及びそれがどのように実現されるかをより明確に示すため、ここで、単なる例として、添付の図面が参照される。
【００２３】
上記のように、既存の問題を克服する、干渉源を検出する改善された方法及びデバイスが提供される。
【００２４】
図１は、対象を監視し、デバイス１００の干渉源を検出するのに使用されることができる実施形態によるデバイス１００のブロック図を示す。対象を監視し、干渉源を検出するデバイス１００は、携帯電子デバイスなどの携帯デバイスである。
【００２５】
いくつかの実施形態では、例えば、携帯デバイス１００はトランスデューサであり得る。携帯デバイス１００は例えば、医療又は健康監視デバイスなどの監視デバイス、又は他の任意のタイプのデバイスであり得る。携帯デバイス１００が監視デバイスである実施形態では、携帯デバイス１００は例えば、コードレス胎児若しくは母体監視デバイス、超音波ドップラーで胎児心拍数を監視するための超音波（ＵＳ）トランスデューサ、子宮収縮及び／若しくは母体心拍数を監視するためのＴｏｃｏＭＰトランスデューサ、又は胎児及び／若しくは母体心電図（ＥＣＧ）と子宮内圧（ＩＵＰ）とを監視するためのＥＣＧ／ＩＵＰトランスデューサなどの胎児又は母体監視デバイスとすることができる。携帯デバイス１００は、ベースユニットとともに使用されるよう構成されてもよい。
【００２６】
干渉源は、携帯デバイス１００の環境における別のデバイスであってもよい。例えば、干渉源は、携帯デバイス１００の環境にあるとき携帯デバイス１００に干渉する場合がある監視デバイス、監視機器、又は他のデバイスであってもよい。携帯デバイス１００は、干渉源を検出するよう構成され、ユーザの監視に適しているため、追加の測定機器の必要性が排除される。
【００２７】
図１を参照すると、干渉源を検出するための携帯デバイス１００は、検出器１０２を含む。検出器１０２は、携帯デバイス１００の環境における干渉の存在を検出するよう構成される。干渉は例えば、電磁干渉（無線周波数干渉など）、他の任意のタイプの干渉、又は干渉のタイプの任意の組み合わせを含むことができる。いくつかの実施形態では、携帯デバイス１００の検出器１０２は、受信信号強度インジケータ（ＲＳＳＩ）レベルを監視することにより干渉の存在を検出するよう構成され得る。例えば、検出器１０２は無線周波数（ＲＦ）チップであり得る。いくつかの実施形態では、検出器１０２は、携帯デバイス１００と少なくとも１つの他のデバイスとの間の無線データリンク（又はチャネル）上の干渉の存在を検出するよう構成され得る。無線データリンクは例えば、携帯デバイス１００及び少なくとも１つの他のデバイスが互いに通信することを可能にする無線通信リンク（又はチャネル）であってもよい。少なくとも１つの他のデバイスは例えば、ベースユニット（例えば、基地局）、サーバ、又は携帯デバイス１００が通信するように動作可能な他の任意のタイプのデバイスであり得る。
【００２８】
図１に示されるように、携帯デバイス１００は、機器１００の動作を制御し、本書に記載の方法を実現することができるプロセッサ１０４も備える。プロセッサ１０４は、本書に説明される態様で携帯デバイス１００を制御するよう構成又はプログラムされる１つ又は複数のプロセッサ、処理ユニット、マルチコアプロセッサ又はモジュールを含むことができる。特定の実現では、プロセッサ１０４は、本書に記載の実施形態による方法の個々のステップ又は複数のステップを実行するようそれぞれ構成される、又は実行するための複数のソフトウェア及び／又はハードウェアモジュールを備えることができる。
【００２９】
特に、プロセッサ１０４は、携帯デバイス１００の環境における干渉の強度を決定するよう構成される。より具体的には、プロセッサ１０４は、検出器１０２により検出される干渉の強度を決定するよう構成される。前述のように、いくつかの実施形態では、携帯デバイス１００の検出器１０２は、受信信号強度インジケータ（ＲＳＳＩ）レベルを監視することにより干渉の存在を検出するよう構成され得る。これらの実施形態では、ＲＳＳＩレベルは、デジタル値として検出器１０２からプロセッサ１０２に提供されてもよく、プロセッサ１０２は、これらのデジタル値から干渉の強度を決定するよう構成されてもよい。
【００３０】
プロセッサ１０４はまた、決定された干渉強度に依存する周波数で出力を提供（又は出力若しくはレンダリング）するためにユーザインターフェース１０６を制御するよう構成される。出力は、携帯デバイス１００の干渉源への携帯デバイス１００の近接度、及び携帯デバイス１００の干渉源からの干渉のパワーのいずれか１つ又は複数を示すことができる。こうして、簡単かつ効果的な態様で、対象の監視に適したのと同じデバイスである携帯デバイス１００により、干渉の強度に関する情報が提供されることができる。図１に示されるように、いくつかの実施形態では、携帯デバイス１００自体が、出力を提供するよう構成された少なくとも１つのユーザインターフェース１０６を備えることができる。代替的又は追加的に、出力を提供するよう構成された少なくとも１つのユーザインターフェース１０６は、携帯デバイス１００の外部にある（即ち、分離した、又は離れている）ことができる。例えば、出力を提供するよう構成された少なくとも１つのユーザインターフェース１０６は、別のデバイスの一部であってもよい。
【００３１】
ユーザインターフェース１０６は、決定された干渉強度に依存する周波数で出力を提供（又は出力若しくはレンダリング）するのに適した任意のユーザインターフェースであり得る。例えば、ユーザインターフェース１０６は、決定された干渉強度に依存する周波数で視覚出力を提供（又は出力若しくはレンダリング）するように動作可能な１つ又は複数のライトを備えてもよい。ライトの例は、発光ダイオード（ＬＥＤ）又は他の任意の光源を含むが、これらに限定されるものではない。プロセッサ１０４は、決定された干渉強度に依存する周波数で視覚出力を提供するため、ユーザインターフェース１０６の１つ又は複数のライトを制御するよう構成され得る。これらの実施形態では、周波数は、視覚出力が提供されるレートであり得る。
【００３２】
いくつかの実施形態では、ユーザインターフェース１０６の１つ又は複数のライトは、多色光源であり得る。これらの実施形態では、１つ又は複数のライトが、決定された干渉強度に依存する周波数で視覚出力を提供するように動作可能なことに加えて、１つ又は複数のライトは、決定された干渉強度に依存する色で視覚出力を提供するように動作可能であってもよい。例えば、携帯デバイス１００のプロセッサ１０４は、ユーザインターフェース１０６の１つ又は複数のライトを制御し、携帯デバイス１００の環境には干渉源がないことが携帯デバイス１００の検出器１０２により決定されるとき、第１の所定の色（例えば、緑色）の光を放出するよう構成されることができる。こうして、携帯デバイス１００のユーザは、環境に干渉源がないというインジケーションを提供される。携帯デバイス１００のプロセッサ１０４は、ユーザインターフェース１０６の１つ又は複数のライトを制御し、携帯デバイス１００の環境に少なくとも１つの干渉源があると携帯デバイス１００の検出器１０２により決定されるとき、第１の所定の色と異なる第２の所定の色（例えば赤色）の光を発するよう構成されることもできる。
【００３３】
従って、これらの実施形態では、ユーザインターフェース１０６の１つ又は複数のライトの色は、干渉源があるかどうかの指標を提供し、１つ又は複数のライトからの視覚出力の周波数は、携帯デバイス１００の干渉源への携帯デバイス１００の近接度、及び携帯デバイス１００の干渉源からの干渉のパワーの１つ又は複数の指標を提供する。
【００３４】
ユーザインターフェース１０６が１つ又は複数のライトを含む代わりに又はこれに加えて、ユーザインターフェース１０６は、決定された干渉強度に依存する周波数で音出力を提供（又は出力若しくはレンダリング）するように動作可能な１つ又は複数のスピーカー、決定された干渉強度に依存する周波数で触知又は触覚出力を提供（又は出力若しくはレンダリング）するように動作可能な１つ又は複数の触知又は触覚コンポーネント（振動機能など）、他の任意のユーザーインターフェースコンポーネント、又は、決定された干渉強度に依存する周波数で出力を提供（又は出力若しくはレンダリング）するのに適したユーザーインターフェースコンポーネントの任意の組み合わせを有する。
【００３５】
ユーザインターフェース１０６が１つ又は複数のスピーカーを含む実施形態では、プロセッサ１０４は、ユーザインターフェース１０６の１つ又は複数のスピーカーを制御し、決定された干渉強度に依存する周波数で音出力を提供するよう構成され得る。これらの実施形態では、周波数は、音出力が提供されるレート及び音出力のピッチに対応する周波数のいずれか１つ又は複数であり得る。ユーザインターフェース１０６が１つ又は複数の触知（又は触覚）コンポーネントを含む実施形態では、プロセッサ１０４は、ユーザインターフェース１０６の１つ又は複数の触知（又は触覚）コンポーネントを制御し、決定された干渉強度に依存する周波数で触知出力を提供するよう構成され得る。これらの実施形態では、周波数は、触知出力が提供されるレートであり得る。
【００３６】
本書で説明される実施形態のいずれにおいても、ユーザインターフェース１０６により提供される出力の周波数は、干渉強度が増加すると決定されるとき増加し、干渉強度が減少するとき決定されるとき減少し得る。代替的に、出力の周波数は、干渉強度が増加すると決定されるとき減少し、干渉強度が減少すると決定されるとき増加してもよい。いくつかの実施形態では、携帯デバイス１００のプロセッサ１０４は、携帯デバイス１００の干渉（ｉｎｔｅｒｆａｃｅ）源への携帯デバイス１００の近接度又は携帯デバイス１００の干渉源からの干渉のパワーのいずれか１つ又は複数が所定の閾値よりも低いと決定されるとき、出力を無効にするようにユーザインターフェース１０６を制御するよう構成され得る。
【００３７】
ユーザインターフェース１０６が上述の出力を提供するよう構成されることに加えて、いくつかの実施形態では、ユーザインターフェース１０６は、ユーザ入力を受信するよう構成されていてもよい。例えば、いくつかの実施形態では、ユーザインターフェース１０６は、携帯デバイス１００のユーザが、指示、データ、又は情報を手動で入力することを可能にすることができる。より具体的には、ユーザインターフェース１０６は、携帯デバイス１００のユーザが携帯デバイス１００と対話及び／又は制御することを可能にし得る。プロセッサ１０４は、ユーザインターフェース１０６からユーザ入力を取得し、これに基づき携帯デバイス１００を制御するよう構成され得る。従って、ユーザインターフェース１０６は、１つ若しくは複数のスイッチ、１つ若しくは複数のボタン、キーパッド、キーボード、タッチスクリーン若しくはアプリケーション（例えば、タブレット若しくはスマートフォン上）、ディスプレイ画面、グラフィカルユーザーインターフェース（ＧＵＩ）若しくは他の視覚コンポーネント、１つ若しくは複数のスピーカー、１つ若しくは複数のマイク、若しくは他のオーディオコンポーネント、１つ若しくは複数のライト、触知フィードバックを提供するコンポーネント（振動機能など）、他のユーザーインターフェースコンポーネント、又はユーザーインターフェースコンポーネントの組み合わせを有することができる。
【００３８】
図１には示されていないが、いくつかの実施形態では、携帯デバイス１００は、携帯デバイス１００が携帯デバイス１００の内部又は外部の任意のインターフェース及びデバイスと通信することを可能にする通信インターフェース（又は回路）も備えてもよい。通信インターフェースは、任意のインターフェース及びデバイスと無線で又は有線接続を介して通信することができる。例えば、１つ又は複数のユーザインターフェース１０６が携帯デバイス１００の外部にある実施形態では、通信インターフェースは、無線で又は有線接続を介して１つ又は複数の外部ユーザインターフェース１０６と通信してもよい。
【００３９】
図１は、本発明のこの態様を説明するために必要なコンポーネントのみを示しており、実際の実現では、携帯デバイス１００は、示されたコンポーネントに追加のコンポーネントを備え得る点を理解されたい。例えば、携帯デバイス１００は、携帯デバイス１００に電力を供給するバッテリ若しくは他の電源、又は携帯デバイス１００を主電源に接続する手段を備えてもよい。
【００４０】
図２は、例示的な実施形態による、携帯デバイス１００の干渉源を検出する携帯デバイス１００の例を示す。図２の例に示されるように、いくつかの実施形態では、携帯デバイス１００のユーザインターフェース１０６は、１つ又は複数のライト２００を含む。これらの実施形態では、１つ又は複数のライト２００は、決定された干渉強度に依存する周波数で視覚出力を提供（又は出力若しくはレンダリング）するよう構成されることができる。
【００４１】
図２には示されていないが、１つ又は複数のライトの代わりに、又はこれに加えて、ユーザインターフェース１０６は、決定された干渉強度に依存する周波数で音出力を提供（又は出力若しくはレンダリング）するよう構成される１つ又は複数のスピーカー、決定された干渉強度に依存する周波数で触知又は触覚出力を提供する（又は出力若しくはレンダリングする）よう構成された触知又は触覚コンポーネント（振動機能など）、及び／若しくは他のユーザーインターフェースコンポーネント、又は、決定された干渉強度に依存する周波数で出力を提供（又は出力若しくはレンダリング）するのに適したユーザーインターフェースコンポーネントの任意の組み合わせを有する。
【００４２】
また、図２には示されていないが、いくつかの実施形態では、携帯デバイス１００のユーザインターフェース１０６は、携帯デバイス１００の電源をオン又はオフにする、携帯デバイス１００を干渉検出モード（又はサービスモード）に切り替える、又は他のタイプの動作をトリガーするためのユーザ入力を受信するように動作可能なユーザーインターフェースコンポーネント（ボタンなど）も備え得る。
【００４３】
図１を参照して前述したように、携帯デバイス１００は、検出器１０２とプロセッサ１０４（図２において図示省略）とを備える。いくつかの実施形態では、ユーザ入力を受信するように動作可能なユーザーインターフェースコンポーネント（ボタンなど）がユーザにより作動されるとき、携帯デバイス１００の検出器１０２は、携帯デバイス１００の環境における干渉の存在を検出するために検出器１０２をトリガーするよう構成され得る。従って、いくつかの実施形態によれば、携帯デバイス１００は干渉検出モード（又はサービスモード）に切り替えられることができる。いくつかの実施形態では、携帯デバイス１００の干渉検出モードは、専用干渉検出モードであってもよい。例えば、いくつかの実施形態では、携帯デバイス１００が干渉検出モードにあるとき、携帯デバイス１００は、対象を監視しないよう構成されることができる。しかしながら、他の実施形態では、携帯デバイス１００は、携帯デバイス１００が干渉検出モードにあるとき、対象を監視し続けるよう構成されてもよい。
【００４４】
携帯デバイス１００が、携帯デバイス１００の外部又は内部の任意のインターフェース又はデバイスと通信することを可能にするための通信インターフェース（又は回路）を含むいくつかの実施形態では、ユーザ入力を受信するように動作可能なユーザーインターフェースコンポーネント（ボタンなど）がユーザにより作動されるとき、携帯デバイス１００のプロセッサ１０４は、通信インターフェース（又は回路）を制御し、上述のインターフェース又はデバイスとの通信を確立するよう構成され得る。
【００４５】
いくつかの実施形態では、携帯デバイス１００はシステムの一部に属していてもよい。システムは、携帯デバイス１００と通信するように動作可能なベースユニット（例えば、基地局）を備えてもよい。いくつかの実施形態では、システムはまた、医療又は健康監視装置（例えば、胎児又は母体監視装置）であり得る装置を含むことができる。従って、いくつかの実施形態によれば、システムは、医療又は健康監視システム（例えば、胎児又は母体監視システム）などの監視システムであってもよい。携帯デバイス１００がベースユニットを備えるシステムの一部である実施形態では、携帯デバイス１００はベースユニットから取り外し可能であってもよい。例えば、携帯デバイス１００は、ベースユニットを補完する形状を有してもよい。その結果、携帯デバイス１００が使用されていないときは、それは、ベースユニットの中又は上に配置され、携帯デバイス１００が使用されるとき、それは、ベースユニットから取り外されることができる。
【００４６】
干渉源を検出するために携帯デバイス１００が使用されるとき、携帯デバイス１００のユーザは、携帯デバイス１００を異なる領域に移動して、携帯デバイス１００の環境における干渉源を検出することができる。例えば、ユーザは、少なくとも１つの干渉デバイスが配置される部屋を歩きながら携帯デバイス１００を保持してもよい。本書に記載される任意の実施形態において、携帯デバイス１００のユーザは例えば、医療従事者（例えば、臨床介護者、又は他の任意の医療従事者）、エンジニア（例えば、生物医学エンジニア、フィールドサービスエンジニア、又は他の任意のエンジニア）、又は携帯デバイス１００の他の任意のユーザとすることができる。
【００４７】
携帯デバイス１００のユーザインターフェース１０６（図２の例示的実施形態では少なくとも１つ又は複数のライト２００を含む）は、携帯デバイス１００のプロセッサ１０４の制御下で、決定された干渉強度に依存する周波数で出力を提供するよう構成されるため、ユーザは、携帯デバイス１００の出力の周波数を観察することにより、携帯デバイス１００の環境の異なる領域で、携帯デバイス１００の干渉源への携帯デバイス１００の近接度及び携帯デバイス１００の干渉源からの干渉の強さのいずれか１つ又は複数を決定することができる。
【００４８】
ユーザインターフェース１０６が、決定された干渉強度に依存する周波数で視覚出力を提供（又は出力若しくはレンダリング）するよう構成された１つ又は複数のライト２００を含む図２の例示的な実施形態では、ユーザは、携帯デバイス１００を携帯デバイス１００の環境の異なる領域に移動させるとき、視覚的出力の周波数が増加又は減少するかどうかを（例えば、継続的に）観察することができる。いくつかの実施形態では、干渉強度が増加すると決定されるとき出力の周波数が増加する場合、ユーザは、視覚出力の周波数の増加から、携帯デバイス１００が干渉源の近くにある、又はソースからの干渉のパワーが増加したことを決定することができる。他方、干渉強度が減少すると決定されるとき出力の周波数が減少する場合、ユーザは、視覚出力の周波数の減少から、携帯デバイス１００が干渉源から離れている、又はソースからの干渉のパワーが減少したことを決定することができる。こうして、携帯デバイス１００のユーザは、干渉源を特定し、干渉を防止するための対策を講じることができる（干渉源をオフにする、又は移動させるなど）。
【００４９】
前述のように、図２には示されていないが、いくつかの実施形態によれば、ユーザインターフェース１０６は、代替的又は追加的に、スピーカー及び触知（又は触覚）コンポーネントのいずれか１つ又は複数を含み得る点を理解されたい。これらの実施形態では、携帯デバイス１００のプロセッサ１０４は、例えば１つ又は複数のライトについて上記で説明したのと同じ態様で、１つ又は複数のスピーカーを制御して音出力を提供し、１つ又は複数の触知（又は触覚）コンポーネントを制御して触知（又は触覚）出力を提供するよう構成されてもよい。
【００５０】
図２は、携帯デバイス１００の例示的な実施形態の視覚的な外側要素のみを斜視図で示し、他の実際の実現では、携帯デバイス１００は異なるサイズ、寸法、形状、及び／又は追加の要素を有し得る点を理解されたい。例えば、携帯デバイス１００は、携帯デバイス１００をベースユニットに固定又は接続するための機構を備えてもよい。
【００５１】
図３は、一実施形態による干渉源３０２を検出するために使用中の携帯デバイス１００を示す。
【００５２】
図３に示されるように、干渉源の検出に使用中の携帯デバイス１００のこの例示的な実施形態では、干渉源は別のデバイス（即ち、干渉デバイス）３０２である。図３に示されるように、干渉デバイス３０２は、ベースユニット３００から取り外し可能であってもよい。いくつかの実施形態では、干渉デバイス３０２は、胎児若しくは母体の監視デバイス、又は他の任意のデバイスなどの監視デバイス（例えば、トランスデューサ）であり得る。干渉デバイス３０２は、携帯デバイス１００と同じタイプのデバイスでも、携帯デバイス１００とは異なるタイプのデバイスでもよい。
【００５３】
いくつかの例示的な実施形態では、ベースユニット３００は、干渉デバイス３０２を受け入れるための凹部を備えてもよい。凹部は、干渉デバイス３０２のサイズ及び／又は形状に補完的なサイズ及び／又は形状を有することができる。いくつかの実施形態によれば、干渉デバイス３０２が使用されていないとき干渉デバイス３０２をベースユニット３００に固定するための機構が凹部に設けられてもよい。他の実施形態では、ベースユニット３００は、干渉デバイス３０２と同一又は類似の２つ以上のデバイスを備えてもよく、これは、携帯デバイス１００と干渉してもよい。これらの実施形態では、ベースユニット３００は、複数の凹部を備えてもよく、各凹部は、複数のデバイスを収容するのに適したサイズ及び／又は形状を有する。干渉デバイス３０２の構成の例が提供されたが、干渉デバイス３０２は、他の任意の構成を有してもよく、携帯デバイス１００に干渉することができる任意のデバイス及び任意の形態のデバイスであり得る点を理解されたい。
【００５４】
携帯デバイス１００がベースユニットから取り外し可能な実施形態では、携帯デバイス１００及びベースユニットは、それぞれ干渉デバイス３０２及びベースユニット３００に関して図３を参照して本書で説明される形態で提供され得る。
【００５５】
図３には示されていないが、干渉デバイス３０２は、ユーザ入力を受信するためのユーザインターフェースを更に備え得る。例えば、いくつかの実施形態では、干渉デバイス３０２のユーザインターフェースは、ユーザが指示、データ、又は情報を手動で入力することを可能にし得る。より具体的には、干渉デバイス３０２のユーザインターフェースは、ユーザが干渉デバイス３０２と相互作用及び／又は制御することを可能にし得る。干渉デバイス３０２のユーザインターフェースは、１つ若しくは複数のスイッチ、１つ若しくは複数のボタン、キーパッド、キーボード、タッチスクリーン若しくはアプリケーション（例えば、タブレット若しくはスマートフォン上）、ディスプレイスクリーン、グラフィカルユーザーインターフェース（ＧＵＩ）若しくは他の視覚コンポーネント、他のユーザーインターフェースコンポーネント、又はユーザーインターフェースコンポーネントの任意の組み合わせを含むことができる。
【００５６】
また、図３には示されていないが、干渉デバイス３０２は、干渉デバイス３０２が干渉デバイス３０２の内部又は外部の任意のインターフェース及びデバイスと通信することを可能にするための通信インターフェース（又は回路）を備えてもよい。干渉デバイス３０２の通信インターフェースは、任意のインターフェース及びデバイスと無線で又は有線接続を介して通信し得る。
【００５７】
干渉源のタイプ及び形態の例は、図３を参照して使用中の携帯デバイス１００を説明する目的で提供されるが、携帯デバイス１００は他の任意の干渉源又は干渉源の任意の組み合わせからの干渉を検出できる点を理解されたい。
【００５８】
いくつかの実施形態では、携帯デバイス１００は、リアルタイムにデータを（例えば、１つ又は複数の他のデバイスに）送信するよう構成され得る。いくつかの実施形態では、携帯デバイス１００は、決定された干渉強度に関係なく（通常どおりに）作動し続ける場合がある。いくつかの実施形態では、携帯デバイス１００は、対象を監視し、及び干渉源を特定するために、ユーザにより同時に操作され得る。前述のように、本書に記載の実施形態のいずれにおいても、携帯デバイス１００のユーザは例えば、医療従事者（例えば、臨床介護者、又は他の任意の医療従事者）、エンジニア（例えば、生物医学エンジニア、フィールドサービスエンジニア、又は他の任意のエンジニア）、又は携帯デバイス１００の他の任意のユーザとすることができる。
【００５９】
図３は、使用中の携帯デバイス１００の例示的な実施形態のみを示し、他の実際の実現では、図示されたシステムは、追加のコンポーネント及び／又はデバイス（１つ又は複数の追加携帯デバイス１００など）を含むことができる点を理解されたい。
【００６０】
図４は、一実施形態による、携帯デバイス１００の干渉源を検出するため、本書に記載の携帯デバイス１００を作動させる方法４００を示す。例示された方法４００は一般に、携帯デバイス１００のプロセッサ１０４により、又はその制御下で実行されることができる。
【００６１】
図４を参照すると、ブロック４０２で、携帯デバイス１００の環境における干渉の存在が検出される。より具体的には、検出器１０２は干渉の存在を検出する。例えば、プロセッサ１０４は、検出器１０２を制御して、干渉の存在を検出することができる。いくつかの実施形態では、携帯デバイス１００は、ユーザ入力を受信し、携帯デバイス１００を干渉検出モード（又はサービスモード）に切り替えて検出器１０２をトリガーし、携帯デバイス１００の環境における干渉の存在の検出を開始するように動作可能であってもよい。プロセッサ１０４は、ユーザ入力を受信し、次いで検出器１０２を制御して、携帯デバイス１００の環境における干渉の存在を検出することができる。
【００６２】
いくつかの実施形態では、携帯デバイス１００は、システムのベースユニット内又はベースユニット上に配置される間、干渉検出モードに切り替えられるよう構成されてもよい。これらの実施形態では、携帯デバイス１００のプロセッサ１０４は、ベースユニットのユーザインターフェース（の例えばタッチスクリーン）から、干渉検出モードに携帯デバイス１００を切り替えるためのユーザ入力を受信することができる。携帯デバイス１００は、関連する装置のユーザインターフェース（の例えばタッチスクリーン）と通信するように動作可能である。前述のように、関連する装置は例えば、医療又は健康監視装置（例えば、胎児又は母体監視装置）などの監視装置であり得る。
【００６３】
図４に戻って、ブロック４０４で、携帯デバイス１００の環境における干渉の強さが決定される。より具体的には、プロセッサ１０４は、携帯デバイス１００の環境における干渉の強度を決定する。図４のブロック４０６において、ユーザインターフェース１０６は、本書に記載された態様で、決定された干渉強度に依存する周波数で出力（前述の視覚出力、音出力、及び／又は触知出力など）を提供するよう制御される。より具体的には、プロセッサ１０４は、ユーザインターフェース１０６を制御し、出力を提供する。前述したように、出力は、携帯デバイス１００の干渉源への携帯デバイスの近接度及び携帯デバイス１００の干渉源からの干渉のパワーのいずれか１つ又は複数を示すことができる。
【００６４】
従って、干渉源を検出する改善された方法及びデバイスが提供される。
【００６５】
また、コンピュータ可読媒体を含むコンピュータプログラムが提供され、コンピュータ可読媒体は、その中に組み込まれたコンピュータ可読コードを有し、コンピュータ可読コードは、適切なコンピュータ又はプロセッサにより実行されると、コンピュータ又はプロセッサに、本書に記載される１つ又は複数の方法を実行させるよう構成される。
【００６６】
開示された実施形態に対する変形は、図面、開示、及び添付の特許請求の範囲の研究から、請求項に記載された発明を実施する当業者により理解及び達成され得る。請求項において、「含む」という語は他の要素又はステップを除外するものではなく、不定冠詞「ａ」又は「ａｎ」は複数性を除外するものではない。単一のプロセッサ又は他のユニットは、特許請求の範囲に記載されたいくつかのアイテムの機能を果たし得る。特定の手段が相互に異なる従属請求項に記載されるという単なる事実は、これらの手段の組み合わせが有利に使用できないことを示すものではない。コンピュータプログラムは、他のハードウェアとともに、又はその一部として提供される光学式記憶媒体又はソリッドステート媒体などの適切な媒体に格納／配布されることができるが、インターネット又は他の有線若しくは無線の通信システムを介してといった他の形式で配布されることもできる。特許請求の範囲における参照符号は、範囲を限定するものとして解釈されるべきではない。
【図１】
2020521401.tif 000003
【図２】
2020521401.tif 000004
【図３】
2020521401.tif 000005
【図４】
2020521401.tif 000006
【国際調査報告】
2020521401.tif 000007
2020521401.tif 000008
2020521401.tif 000009